(57)【要約】【課題】同軸ケーブルに対する同軸プラグコネクタの取り付け作業を、作業者を不安にさせることなく簡単に実施できる技術を提供する。【解決手段】同軸プラグコネクタ１の外部導体金具６は、同軸ケーブル９の外被９１を除去して外部導体９２を露出させた外部導体露出部９ａに当接させる当接部６３を有する。また、外部導体金具６は、スペーサ８に保持されたコンタクトピン７のコンタクト部７１を、外部導体金具６の外部からの視認するための切欠部６２ｂを有する。【選択図】図４
2019179644.tif 000002
【特許請求の範囲】
【請求項１】
同軸ケーブルを固定するケーブル固定部と、
前記ケーブル固定部に固定された前記同軸ケーブルの外部導体に接続される金属製の円筒電極及び前記同軸ケーブルの内部導体に接続され、前記円筒電極の軸中心に配置される中心電極を形成するプラグ部と、
前記同軸ケーブルと前記プラグ部との接続部分を保護する絶縁性の保護ケース部と、
を備え、
前記プラグ部は、
一方の端部が前記円筒電極を形成し、他方の端部に、前記同軸ケーブルの外被を除去して前記外部導体を露出させた外部導体露出部に当接させる当接部を有する外部導体金具と、
一方の端部である接続端が、前記同軸ケーブルの先端において内部導体を露出させた内部導体露出部が挿入される形状に形成され、他方の端部である電極端が前記中心電極として使用される金属製のコンタクトピンと、
前記コンタクトピンを、前記外部導体金具とは非導通状態で前記外部導体金具の内部に保持するスペーサと、
を有し、
前記外部導体金具は、前記スペーサに保持された前記コンタクトピンの接続端を、当該外部導体金具の外部から視認するための切欠部を有する、
同軸プラグコネクタ。
【請求項２】
請求項１に記載の同軸プラグコネクタであって、
前記スペーサは、少なくとも、前記コンタクトピンの接続端と前記外部導体金具の切欠部との間に位置する部位に、透明な材料が用いられる
同軸プラグコネクタ。
【請求項３】
請求項２に記載の同軸プラグコネクタであって、
前記スペーサは、前記外部導体金具の切欠部から露出する部位の外面には、該外面を少なくとも覆い、且つ、前記外部導体金具と接触するように設けられた透明電極が用いられる
同軸プラグコネクタ。
【請求項４】
請求項１から請求項３までのいずれか１項に記載の同軸プラグコネクタであって、
前記切欠部は、前記外部導体金具の当接部側端から、前記コンタクトピンの保持位置に向けて形成されたスリット状の切り込みである
同軸プラグコネクタ。
【請求項５】
請求項１から請求項４までのいずれか１項に記載の同軸プラグコネクタであって、
前記外部導体金具の前記切欠部及び前記当接部が形成された部位である露出部位と前記保護ケース部と間に、前記露出部位を覆い且つ前記外部導体金具と導通するシールド部材を更に備える
同軸プラグコネクタ。
【請求項６】
請求項５に記載の同軸プラグコネクタであって、
前記シールド部材は、外力により変形し且つ該変形に対して復元性を有する材料によってブロック状に形成され、少なくとも前記露出部位に当接させる面が導電性を有するソフトシールドである、
同軸プラグコネクタ。
【請求項７】
請求項６に記載の同軸プラグコネクタであって、
前記ソフトシールドは、変形前の厚さが、前記露出部位と前記保護ケース部との間の間隔より大きく設定された
同軸プラグコネクタ。
【請求項８】
請求項１から請求項７までのいずれか１項に記載の同軸プラグコネクタであって、
前記当接部は、複数の可撓片を有する
同軸プラグコネクタ。
【請求項９】
請求項８に記載の同軸プラグコネクタであって、
前記複数の可撓片は、先端ほど前記ケーブル固定部に固定される同軸ケーブルの中心軸に対してより外側に広がり、かつ、先端が前記同軸ケーブルの外被を除去した部位の直径より大きい仮想円に沿って位置する形状を有する
同軸プラグコネクタ。
【請求項１０】
請求項１から請求項９までのいずれか１項に記載の同軸プラグコネクタであって、
前記ケーブル固定部は、前記同軸ケーブルを挟持して締め付ける複数の締付片を有し、
前記複数の締付片は、前記同軸ケーブルと共に前記複数の可撓片の先端部分を挟持する位置に配置される
同軸プラグコネクタ。
【請求項１１】
請求項１０に記載の同軸プラグコネクタであって、
前記複数の締付片は、締め付け時に互いに対向する先端が、前記同軸ケーブルの周方向に沿った複数の異なる位置にて対向する段差を有した形状に形成された
同軸プラグコネクタ。
【請求項１２】
請求項１０または請求項１１に記載の同軸プラグコネクタであって、
前記複数の締付片は、締め付け時に前記同軸ケーブルの外被に食い込ませる爪を有する
同軸プラグコネクタ。
【発明の詳細な説明】
【技術分野】
【０００１】
本発明は、同軸ケーブルの接続に用いられる同軸プラグコネクタに関する。
【背景技術】
【０００２】
同軸ケーブルの接続に用いる同軸プラグコネクタとして、外部導体金具及びコンタクトピンを絶縁ケースに収納した構造のものが知られている。外部導体金具は、一端に円筒電極が形成され、他端に同軸ケーブルの外部導体と内部絶縁体との間に差し込まれるケーブル挿入部が形成される。コンタクトピンは、外部導体金具の円筒電極内の中心位置に一端部が配置され、他端部に同軸ケーブルの内部導体との接続部が設けられる。
【０００３】
特許文献１には、コンタクトピンに形成された端子に、同軸ケーブルの先端に露出させた内部導体を差し込むことで接続する技術が開示されている。
【先行技術文献】
【特許文献】
【０００４】
【特許文献１】特許第４１２４７４８号公報
【発明の概要】
【発明が解決しようとする課題】
【０００５】
特許文献１に記載の従来技術では、同軸プラグコネクタを同軸ケーブルの先端に取り付ける際に、コンタクトピンの端子に内部導体を差し込む作業を行う必要がある。しかしながら、コンタクトピンは、外部導体に覆われているため、コンタクトピンの端子に内部導体が正しく差し込まれているか否かを確認することができず、作業者を不安にさせてしまうという問題があった。
【０００６】
本発明は、同軸ケーブルに対する同軸プラグコネクタの取り付け作業を、作業者を不安にさせることなく簡単に実施できる技術を提供することを主たる目的とする。
【課題を解決するための手段】
【０００７】
請求項１に記載の発明は、同軸プラグコネクタであって、同軸ケーブルを固定するケーブル固定部と、前記ケーブル固定部に固定された前記同軸ケーブルの外部導体に接続される金属製の円筒電極、及び前記同軸ケーブルの内部導体に接続され、前記円筒電極の軸中心に配置される中心電極を形成するプラグ部と、前記同軸ケーブルと前記プラグ部との接続部分を保護する絶縁性の保護ケース部と、を備え、前記プラグ部は、一方の端部が前記円筒電極を形成し、他方の端部に、前記同軸ケーブルの外被を除去して前記外部導体を露出させた外部導体露出部に当接させる当接部を有する外部導体金具と、一方の端部である接続端が、前記同軸ケーブルの先端において内部導体を露出させた内部導体露出部が挿入される形状に形成され、他方の端部である電極端が前記中心導体として使用される金属製のコンタクトピンと、前記コンタクトピンを、前記外部導体金具とは非導通状態で前記外部導体金具の内部に保持するスペーサと、を有し、前記外部導体金具は、前記スペーサに保持された前記コンタクトピンの接続端を、当該外部導体金具の外部から視認するための切欠部を有することを特徴とする。
【０００８】
請求項２に記載の発明は、請求項１に記載の同軸プラグコネクタであって、前記スペーサは、少なくとも、前記コンタクトピンの接続端と前記外部導体金具の切欠部との間に位置する部位に、透明な材料が用いられることを特徴とする。
【０００９】
請求項３に記載の発明は、請求項２に記載の同軸プラグコネクタであって、前記スペーサは、前記外部導体金具の切欠部から露出する部位の外面には、該外面を少なくとも覆い、且つ、前記外部導体金具と接触するように設けられた透明電極が用いられることを特徴とする。
【００１０】
請求項４に記載の発明は、請求項１から請求項３までのいずれか１項に記載の同軸プラグコネクタであって、前記切欠部は、前記外部導体金具の当接部側端から、前記コンタクトピンの保持位置に向けて形成されたスリット状の切り込みであることを特徴とする。
【００１１】
請求項５に記載の発明は、請求項１から請求項４までのいずれか１項に記載の同軸プラグコネクタであって、前記外部導体金具の前記切欠部及び前記当接部が形成された部位である露出部位と前記保護ケース部と間に、前記露出部位を覆い且つ前記外部導体金具と導通するシールド部材を更に備えることを特徴とする。
【００１２】
請求項６に記載の発明は、請求項５に記載の同軸プラグコネクタであって、前記シールド部材は、外力により変形し且つ該変形に対して復元性を有する材料によってブロック状に形成され、少なくとも前記露出部位に当接させる面が導電性を有するソフトシールドであることを特徴とする。
【００１３】
請求項７に記載の発明は、請求項６に記載の同軸プラグコネクタであって、前記ソフトシールドは、変形前の厚さが、前記露出部位と前記保護ケース部との間の間隔より大きく設定されることを特徴とする。
【００１４】
請求項８に記載の発明は、請求項１から請求項７までのいずれか１項に記載の同軸プラグコネクタであって、前記当接部は、複数の可撓片を有することを特徴とする。
【００１５】
請求項９に記載の発明は、請求項８に記載の同軸プラグコネクタであって、前記複数の可撓片は、先端ほど前記ケーブル固定部に固定される同軸ケーブルの中心軸に対してより外側に広がり、かつ、先端が前記同軸ケーブルの外被を除去した部位の直径より大きい仮想円に沿って位置する形状を有することを特徴とする。
【００１６】
請求項１０に記載の発明は、請求項１から請求項９までのいずれか１項に記載の同軸プラグコネクタであって、前記ケーブル固定部は、前記同軸ケーブルを挟持して締め付ける複数の締付片を有し、前記複数の締付片は、前記同軸ケーブルと共に前記複数の可撓片の先端部分を挟持する位置に配置されることを特徴とする。
【００１７】
請求項１１に記載の発明は、請求項１０に記載の同軸プラグコネクタであって、  前記複数の締付片は、締め付け時に互いに対向する先端が、前記同軸ケーブルの周方向に沿った複数の異なる位置にて対向する段差を有した形状に形成されることを特徴とする。
【００１８】
請求項１２に記載の発明は、請求項１０または請求項１１に記載の同軸プラグコネクタであって、前記複数の締付片は、締め付け時に前記同軸ケーブルの外被に食い込ませる爪を有することを特徴とする。
【発明の効果】
【００１９】
請求項１に記載の発明によれば、コンタクトピンの接続端に、同軸ケーブルの内部導体を接続する際に、切欠部を介して視認しながら、作業を行うことができる。その結果、作業者は、コンタクトピンの接続端に内部導体が接続されているか否かについて不安を覚えることなく、しかも簡単に作業を実施することができる。
【００２０】
請求項２に記載の発明によれば、コンタクトピンの接続端と外部導体金具の切欠部との間にスペーサが存在する場合でも、コンタクトピンの接続端を視認できる。
【００２１】
請求項３に記載の発明によれば、切欠部によって生じる電気的な隙間が透明電極によって塞がれるため、切欠部によるシールド性能の劣化を抑制できる。
請求項４に記載の発明によれば、切欠部を容易に形成できる。
【００２２】
請求項５に記載の発明によれば、切欠部によって生じる電気的な隙間がシールド部材によって塞がれるため、切欠部によるシールド性能の劣化を抑制できる。
請求項６に記載の発明によれば、シールド部材を容易に製造できる。
【００２３】
請求項７に記載の発明によれば、シールド部材を露出部位に確実に当接させることができ、シールド部材によるシールド性能を十分に引き出すことができる。
請求項８に記載の発明によれば、同軸ケーブルに設けられた外部導体露出部との良好な当接状態を実現できる。
【００２４】
請求項９に記載の発明によれば、良好な当接状態を実現できる同軸ケーブルの太さの範囲を広げることができる。
請求項１０に記載の発明によれば、ケーブル固定部によって同軸ケーブルを固定するだけなく、複数の可撓片を、同軸ケーブルに設けられた外部導体露出部により密着させることができる。
【００２５】
請求項１１に記載の発明によれば、より多様な太さの同軸ケーブルについて、ケーブル固定部による十分な締付力を得ることができる。
請求項１２に記載の発明によれば、同軸ケーブルの同軸プラグコネクタの脱落を、より強力に抑制することができる。
【図面の簡単な説明】
【００２６】
【図１】同軸プラグコネクタの外観を示す斜視図であり、（ａ）が上面を中心に示した斜視図、（Ｂ）が下面を中心に示した斜視図である。
【図２】同軸プラグコネクタの内部構成を示す斜視図である。
【図３】同軸プラグコネクタを分解して示した斜視図である。
【図４】同軸ケーブルに取り付けられる前の同軸プラグコネクタを示す平面図である。
【図５】同軸ケーブルの内部導体を同軸プラグコネクタのコンタクト部に挿入した状態を示す平面図である。
【図６】同軸プラグコネクタを４Ｃケーブルに取り付けた状態を示す平面図である。
【図７】同軸プラグコネクタを５Ｃケーブルに取り付けた状態を示す平面図である。
【図８】一対の締付片の先端の形状を模式的に示した説明図である。
【発明を実施するための形態】
【００２７】
以下、図面を参照しながら、本発明の実施形態について説明する。
［１．構成］
以下、本発明の実施形態について説明する。
【００２８】
本実施形態の同軸プラグコネクタ１は、高周波信号を伝送する際に使用する同軸ケーブルの接続に用いられる。
同軸プラグコネクタ１は、図１に示すように、本体１１と、コネクタ部１２とを備える。
【００２９】
本体１１は、直方体状の形状を有する。本体１１には、一つの面に、当該同軸プラグコネクタ１が取り付けられる同軸ケーブルの先端部を本体１１内に導入するための導入孔１３を有する。
【００３０】
コネクタ部１２は、本体１１の導入孔１３が形成された面とは直交する面から突設される。コネクタ部１２は、円筒電極１２ａと、円筒電極１２ａの軸中心に配置される中心電極１２ｂとを有し、いわゆるＦ型プラグコネクタを形成する。
【００３１】
以下では、本体１１に対してコネクタ部１２が突設されている側を下、その反対側を上という。
同軸プラグコネクタ１は、図２及び図３に示すように、プラグ部２と、保護ケース部３と、固定金具４と、シールド部材５と、を備える。
【００３２】
［１−１．プラグ部］
プラグ部２は、外部導体金具６と、コンタクトピン７と、スペーサ８とを備える。
【００３３】
外部導体金具６は、外形がＬ字型の筒状体を形成する金属製（例えば、黄銅製）の金具であり、自身を面対称な形状に半割した一対のシールド片６ａ，６ｂを組み合わせることで構成される。外部導体金具６は、電極部６１と、保持部６２と、当接部６３とを備える。
【００３４】
電極部６１は、外部導体金具６の一方の端部に設けられた円筒状の部位であり、上述の円筒電極１２ａとして使用される。
保持部６２は、電極部６１の軸中心に沿った方向とは直交する方向に突出する円筒状の部位である。保持部６２の先端部６２ａは、円筒の径が徐々に小さくなるようにテーパ状に形成される。
【００３５】
保持部６２は、保持部６２の上側かつ先端付近に切欠部６２ｂを有する。切欠部６２ｂは、保持部６２の先端の略上半分を、斜め上方向に向けて切り欠くことで、三角形のスリット状に形成されている。切欠部６２ｂは、外部導体金具６の内部に保持されるコンタクトピン７のコンタクト部７１（後述する）を、外部導体金具６の上方から視認可能となる大きさに形成される。
【００３６】
当接部６３は、保持部６２の先端の下半分から突設された一対の可撓片６３ａ，６３ｂを有する。一対の可撓片６３ａ，６３ｂは、いずれも、円筒の筒面を円筒の軸方向に沿って分割した形状を有し、保持部６２の先端から遠ざかるほど、仮想的な円錐面に沿って広がるように形成される。ここで、当該同軸プラグコネクタ１への適用が想定される最も径が太い同軸ケーブルを上限同軸ケーブルという。そして、一対の可撓片６３ａ，６３ｂは、その先端において内接する仮想的な円の直径が、上限同軸ケーブルにおいて内部導体を保護する絶縁性の保護層の直径より大きくなるように設定される。また、一対の可撓片６３ａ，６３ｂは、同軸ケーブルの外被と略同じ厚さか、それよりやや薄く形成される。
【００３７】
コンタクトピン７は、Ｌ字型の線状体を形成する金属製（例えば、黄銅製）の金具であり、一端である電極端７ａが上述の中心電極１２ｂとして使用され、他端である接続端７ｂにコンタクト部７１を備える。コンタクト部７１は、同軸ケーブルの内部導体が挿入される筒状部位７１ａと、筒状部位７１ａから突設された一対の挟持片７１ｂを有する。そして、一対の挟持片７１ｂに内部導体が挟持され、筒状部位７１ａに内部導体の先端が挿入されることで、コンタクトピン７と内部導体との間の電気的な接続が確保される。
【００３８】
スペーサ８は、透明な絶縁性の樹脂材料を用いて、コンタクト部７１を含むコンタクトピン７の接続端７ｂの全体を覆うように構成される。スペーサ８は、コンタクトピン７を外部導体金具６と電気的に接触させることなく、コンタクトピン７を外部導体金具６内に保持する形状を有する。また、スペーサ８は、電極端７ａ（即ち、中心電極１２ｂ）が電極部６１（即ち、円筒電極１２ａ）の軸中心に位置し、かつ、コンタクト部７１が保持部６２の軸中心に位置するように、外部導体金具６内でのコンタクトピン７の位置を決定する。
【００３９】
スペーサ８は、該スペーサ８に保持されるコンタクトピン７のコンタクト部７１の延長線上に、内部導体をコンタクト部７１に導くためのガイド孔８１を有する。
【００４０】
スペーサ８は、ガイド孔８１の中心を通る水平面に沿って、二分割した一対の保持片８ａ，８ｂにより構成される。なお、ここでの水平面とは上下方向に対して直交する面をいう。一対の保持片８ａ，８ｂは、ヒンジ８ｃを介して一体に連結され、開閉自在に構成されている。また、一対の保持片８ａ，８ｂを閉じた時に互いに当接する当接面には、互いの合わせ位置を決定すると共に、閉じた状態を保持するための互いに係合する複数対のピン（凸部）と孔（凹部）とが設けられる。
【００４１】
［１−２．保護ケース部］
保護ケース部３は、当該同軸プラグコネクタ１の本体１１及びコネクタ部１２による外形形状を形成すると共に、プラグ部２およびプラグ部２と同軸ケーブルとの接続部分を保護する樹脂製のケースである。
【００４２】
保護ケース部３は、導入孔１３の中心を通る水平面を分割面とする三つのケース片３ａ，３ｂ，３ｃを備える。
ケース片３ａは、保護ケース部３における上記分割面の下側部分の全体である。ケース片３ａは、電極孔３１と、取付孔３２と、導入溝３３とを有する。電極孔３１は、コネクタ部１２に対応する部位に設けられた、外部導体金具６の電極部６１が挿入される円筒状の孔である。電極孔３１の内径は、外部導体金具６の電極部６１の外径と同じ大きさを有する。取付孔３２は、固定金具４を取り付けるための孔である。導入溝３３は、ケース片３ａ，３ｃを閉じ合わせたときに導入孔１３を形成する半円状の溝である。
【００４３】
ケース片３ｂは、保護ケース部３における上記分割面の上側部分の一部であり、ケース片３ａの孔３１を覆う位置に設けられる。ケース片３ｃは、保護ケース部３における上記分割面の上側部分のうち、ケース片３ｂ以外の部分を覆う位置に設けられる。ケース片３ｃは、ケース片３ａの導入溝３３と共に、導入孔１３を形成する導入溝３４を有する。
【００４４】
ケース片３ａとケース片３ｂとはヒンジ３ｄを介して一体に連結され、開閉自在に構成される。ケース片３ａ，３ｂには、閉じ合わせた時に互いに係合して、ケース片３ａ，３ｂを閉じた状態に保持するためのフック３５と、係止部３６とを有する。
【００４５】
同様に、ケース片３ａとケース片３ｃとはヒンジ３ｅを介して一体に連結され、開閉自在に構成される。ケース片３ａ，３ｃには、閉じ合わせた時に互いに係合して、ケース片３ａ，３ｃを閉じた状態に保持するためのフック３７と、係止部３８とを有する。
【００４６】
［１−３．固定金具］
固定金具４は、基部４１と、プラグ嵌合部４２と、ケーブル固定部４３と、係止片４４とを備え、これらは金属材料を用いて一体に形成される。
【００４７】
基部４１は、長尺上の板状の部材である。
プラグ嵌合部４２は、基部４１の長手方向の一端に設けられ、基部４１の長手方向とは直行する両方向に突出し、上方に向けてＵ字状に湾曲した一対の嵌合片を有する。一対の嵌合片の湾曲形状は、外部導体金具６の保持部６２（但し、先端部６２ａ以外）の外周に沿った形状と略一致する。
【００４８】
ケーブル固定部４３は、基部４１の長手方向の他端（以下、締付端）に設けられ、プラグ嵌合部４２と同様に、Ｕ字状に湾曲した一対の締付片４３ａ，４３ｂを有する。一対の締付片４３ａ，４３ｂの湾曲形状は、上限同軸ケーブルを、一対の締付片４３ａ，４３ｂの間に抵抗なく挿入することができる形状を有する。各締付片４３ａ，４３ｂの先端付近かつ締付端側には、同軸ケーブルが配置される内側に向けて突出する爪４３１がそれぞれ設けられている。
【００４９】
係止片４４は、基部４１の締付端から突設された突起である。係止片４４は、ケース片３ａに組み付ける際に、ケース片３ａの取付孔３２に挿入される。
［１−４．シールド部材］
シールド部材５は、シールド基部５１と、導電シート５２とを有する。シールド基部５１は、外力により変形し、その変形に対する復元力を有する材料によってブロック状に形成された部材である。導電シート５２は、導電性を有する糸を編組することで製造され、シールド基部５１の表面を覆うように、シールド基部５１に取り付けられる。つまり、シールド部材５は、表面が導電性を有したソフトシールドである。なお、シールド部材５は、ケース片３ｃの内面に取り付けられ、ケース片３ｃをケース片３ａに閉じ合わせたときに、ケース片３ａに組み付けられた外部導体金具６の切欠部６２ｂ及び当接部６３を覆う位置に配置される。シールド部材５の厚さは、ケーブル固定部４３によりケース片３ａに固定される同軸ケーブの外部導体露出部９ａ（後述する）と、ケース片３ｃの内面との間の間隔より大きく設定される。
【００５０】
［２．同軸プラグコネクタの組み立て］
同軸プラグコネクタ１は、次のようにして組み立てられる。
まず、ケース片３ａの取付孔３２に、固定金具４の係止片４４を挿入すると共に、ケース片３ｃの内面にシールド部材５を固定することで、固定金具４及びシールド部材５を、保護ケース部３と一体化する。
【００５１】
次に、コンタクトピン７を保持片８ａの所定位置に配置し、保持片８ｂを閉じ合わせることで、スペーサ８にコンタクトピン７を保持させる。更に、このスペーサ８を挟み込むようにしてシールド片６ａ，６ｂを閉じ合わせることにより、外部導体金具６にスペーサ８を保持させる。これにより、プラグ部２が組み立てられる。
【００５２】
この組み立てられたプラグ部２（詳しくは、外部導体金具６の電極部６１）を、ケース片３ａの電極孔３１に挿入すると共に、プラグ部２（詳しくは外部導体金具６の保持部６２）を、保護ケース部３と一体化された固定金具４のプラグ嵌合部４２に嵌合させる。これにより、プラグ部２が保護ケース部３と一体化される。
【００５３】
その後、ケース片３ａと、ケース片３ｂ，３ｃとを閉じ合わせることで、図１に示す同軸プラグコネクタ１が組み立てられる。
この同軸プラグコネクタ１のケース片３ｃを開放した状態では、図４に示すように、切欠部６２ｂの隙間から、透明なスペーサ８を介してコンタクトピン７のコンタクト部７１が視認される。
【００５４】
また、図４からわかるように、プラグ部２は、当接部６３の先端が、固定金具４のケーブル固定部４３の締付片の幅方向の中心付近に位置する。スペーサ８は、保持部６２において一定の径を有する部位（即ち、先端部６２ａ以外の部位）に保持される。シールド部材５は、切欠部６２ｂ及び当接部６３の略全体を覆う大きさを有する。
【００５５】
［３．組み付け手順］
ここで、同軸プラグコネクタ１を同軸ケーブル９に組み付ける手順について説明する。
【００５６】
まず、同軸プラグコネクタ１を取り付ける同軸ケーブル９の先端部分を加工する。具体的には、同軸ケーブル９の先端部分の外被９１を除去することで、外部導体９２を露出させた外部導体露出部９ａを形成する。更に、外部導体露出部９ａの先端部分の外部導体９２及び内部絶縁体を除去することで、内部導体９３を露出させた内部導体露出部９ｂを形成する。
【００５７】
外部導体露出部９ａは、保持部６２の先端部６２ａ及び当接部６３を合わせた長さよりわずかに長くなるように形成する。内部導体露出部９ｂは、スペーサ８のガイド孔８１から、スペーサ８に保持されたコンタクトピン７の筒状部位７１ａに到達する長さとなるように形成する。
【００５８】
次に、内部導体露出部９ｂの内部導体９３を、スペーサ８のガイド孔８１から挿入して、内部導体９３の先端を、コンタクト部７１に保持させる。これにより内部導体９３とコンタクトピン７（ひいては中心電極１２ｂ）との導通が確立する。この作業は、切欠部６２ｂを介して、コンタクト部７１と内部導体９３の先端との位置関係を視認しながら行うことができる。
【００５９】
更に、外部導体露出部９ａの先端がスペーサ８に当接するまで挿入する。すると、図５に示すように、当接部６３の上に外部導体露出部９ａが位置すると共に、同軸ケーブル９の非加工部分の先端がケーブル固定部４３の上に位置する。
【００６０】
この状態から、ケーブル固定部４３を構成する一対の締付片４３ａ，４３ｂをカシメると、一対の締付片４３ａ，４３ｂは、同軸ケーブル９の非加工部位を、外被９１に爪４３１を食い込ませた状態で挟持するだけでなく、外部導体露出部９ａも当接部６３の上から挟持する。このとき、当接部６３は、一対の締付片４３ａ，４３ｂからの締付力により、外部導体露出部９ａとの密着度が増加するように変形する。
また、一対の締付片４３ａ，４３ｂをカシメた際、一対の可撓片６３ａ，６３ｂが、同軸ケーブル９の外部導体露出部９ａの外部導体９２に沿うように変形することで、外部導体９２に、一対の可撓片６３ａ，６３ｂが密着する。また、これと同時に、一対の締付片４３ａ，４３ｂが、一対の可撓片６３ａ，６３ｂの外面、及び同軸ケーブル９の非加工部分に沿うように変形することで、これら一対の可撓片６３ａ，６３ｂ及び同軸ケーブル９に、一対の締付片４３ａ，４３ｂが密着する。この作用により、図６及び図７に示すように、径の異なる同軸ケーブル９を使用しても、当接部６３（即ち、一対の可撓片６３ａ，６３ｂ）と外部導体露出部９ａとの間が隙間のない状態で保持される。なお、図６は４Ｃケーブルの場合を示し、図７は５Ｃケーブルの場合を示す。図７では、当接部６３は、外部導体露出部９ａの下方に位置する。
【００６１】
これにより、同軸プラグコネクタ１と同軸ケーブル９とが一体化されると共に、外部導体９２と外部導体金具６（ひいては円筒電極１２ａ）との導通が確立する。
その後、ケース片３ａ，３ｃを閉じ合わせると、シールド部材５の導電性を有する表面が、当接部６３に保持された外部導体露出部９ａおよび切欠部６２ｂからなる露出部位と、切欠部６２ｂ周囲の外部導体金具６とを覆うようにして、これらに押し付けられる。
【００６２】
これにより、シールド部材５は、外部導体金具６および外部導体露出部９ａと導通し、切欠部６２ｂを電気的に隙間無く覆うため、このシールド部材５の作用と、上述の一対の締付片４３ａ，４３ｂをカシメたときの一対の可撓片６３ａ，６３ｂの作用とによって、内部導体露出部９ｂに対するシールド性が確保される。
【００６３】
［４．効果］
以上詳述した本実施形態によれば、以下の効果が得られる。
（１）同軸プラグコネクタ１では、コンタクトピン７を保持するスペーサ８が透明な材料で形成され、外部導体金具６には、コンタクトピン７のコンタクト部７１を視認できる位置に切欠部６２ｂが設けられている。
【００６４】
従って、同軸プラグコネクタ１によれば、コンタクト部７１に内部導体９３を挿入する作業を、コンタクト部７１と内部導体９３の先端との位置関係を視認しながら行うことができる。その結果、作業者は、コンタクト部７１と内部導体９３とが接続されているか否かについて不安を覚えることなく、しかも簡単に作業を実施することができる。
【００６５】
（２）同軸プラグコネクタ１によれば、ケース片３ａ，３ｃを閉じ合わせたときに、切欠部６２ｂ及び外部導体露出部９ａがシールド部材５によって覆われるため、内部導体露出部９ｂの周囲を電気的に隙間なく覆うことができ、切欠部６２ｂによるシールド性能の劣化を抑制できる。
【００６６】
（３）同軸プラグコネクタ１によれば、ケーブル固定部４３の一対の締付片４３ａ，４３ｂをカシメることにより、同軸ケーブル９を固定するだけでなく、外部導体露出部９ａと外部導体金具６の当接部６３との導通状態を確保している。つまり、従来装置とは異なり、当接部６３に相当する部位を外部導体９２と内部絶縁体との間に挿入する作業が不要であるため、同軸ケーブル９への取り付け作業の手間を削減することができる。また、同軸ケーブル９の太さが異なる場合でも、外部導体金具６を当接部６３の形状が異なるものに取り替えることなく取り付け作業を行うことができる。
【００６７】
（４）同軸プラグコネクタ１によれば、ケーブル固定部４３の固定対象となる同軸ケーブル９の非加工部と外部導体露出部９ａとの段差が、当接部６３によって補われるため、ケーブル固定部４３による締付力を十分に発揮させることができる。
【００６８】
（５）同軸プラグコネクタ１によれば、ケーブル固定部４３には、同軸ケーブル９の外被９１に食い込ませる爪４３１が設けられているため、同軸プラグコネクタ１が同軸ケーブル９から脱落することを抑制できる。
【００６９】
［５．他の実施形態］
以上、本発明を実施するための形態について説明したが、本発明は上述の実施形態に限定されることなく、種々変形して実施することができる。
【００７０】
（ａ）上記実施形態では、同軸ケーブル９の軸方向に対して円筒電極１２ａの軸中心の方向が直交する、Ｌ型タイプの同軸プラグコネクタ１に適用する例を示したが、これに限定されるものではない。例えば、同軸ケーブル９の軸方向と円筒電極１２ａの軸中心の方向とが一致するストレートタイプの同軸プラグコネクタに適用してもよい。
【００７１】
（ｂ）上記実施形態では、切欠部６２ｂとしてスリット状の切り込みが用いられているが、これに限定されるものではない。切欠部６２ｂは、例えば、外部導体金具６の一部を窓状に切抜くことによって形成されてもよい。
【００７２】
（ｃ）上記実施形態では、シールド部材５は、直方体のブロック状に構成されているが、これに限定されるものではない。シールド部材５は、例えば、シールド部材５に当接される側の形状に合わせた凹凸形状を有してもよい。
【００７３】
（ｄ）上記実施形態では、ケーブル固定部４３を構成する一対の締付片４３ａ，４３ｂの先端部は、カシメたときに、同軸ケーブル９の軸方向に沿った一直線で対向する形状を有しているが、これに限定されるものではない。例えば、図８に示すように、一対の締付片４３ａ，４３ｂの先端部は、カシメたときに、同軸ケーブル９の周方向に異なる複数の位置で対向するように、段差を有した形状であってもよい。この場合、より様々な太さの同軸ケーブルに対して、十分な締付力を得ることができる。
【００７４】
（ｅ）上記実施形態では、スペーサ８は、その全体が透明な材料を用いて構成されているが、これに限定されるものではない。スペーサ８は、例えば、切欠部６２ｂとコンタクト部７１との間の部分だけ、透明な樹脂が用いられてもよい。
【００７５】
（ｆ）上記実施形態では、スペーサ８は、その全体が絶縁性の材料を用いて構成されているが、これに限定されるものではない。例えば、外部導体金具６の内面と接触するスペーサ８の表面に、透明電極が用いられてもよい。また、スペーサ８の表面全体ではなく、切欠部６２ｂの周辺だけ透明電極が用いられてもよい。これらの場合、切欠部６２ｂによるシールド性能の劣化をより抑制できる。なお、透明電極は、可視光を透過するワイドギャップ半導体からなる膜を利用して製造される電極であり、膜用の材料としては、例えば、酸化インジウム・スズ（ＩＴＯ）、酸化亜鉛、酸化スズ等が用いられる。
【００７６】
（ｇ）上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本発明の実施形態である。
【符号の説明】
【００７７】
１…同軸プラグコネクタ、２…プラグ部、３…保護ケース部、４…固定金具、５…シールド部材、６…外部導体金具、７…コンタクトピン、７ａ…電極端、７ｂ…接続端、８…スペーサ、９…同軸ケーブル、９ａ…外部導体露出部、９ｂ…内部導体露出部、１１…本体、１２…コネクタ部、１２ａ…円筒電極、１２ｂ…中心電極、１３…導入孔、３１…電極孔、３２…取付孔、３３，３４…導入溝、４１…基部、４２…プラグ嵌合部、４３…ケーブル固定部、４３ａ，４３ｂ…締付片、４４…係止片、５１…シールド基部、５２…導電シート、６１…電極部、６２…保持部、６２ａ…先端部、６２ｂ…切欠部、６３…当接部、６３ａ，６３ｂ…可撓片、７１…コンタクト部、８１…ガイド孔、９１…外被、９２…外部導体、９３…内部導体。 
【図１】
2019179644.tif 000003
【図２】
2019179644.tif 000004
【図３】
2019179644.tif 000005
【図４】
2019179644.tif 000006
【図５】
2019179644.tif 000007
【図６】
2019179644.tif 000008
【図７】
2019179644.tif 000009
【図８】
2019179644.tif 000010